(57)【要約】【課題】検査室人員が直面する操作上の問題を解消する。【解決手段】診断分析装置に関連する情報を通信する方法は、ポータブルコンピュータからユーザ識別情報を受信するステップを含む。ユーザ識別情報として第１のユーザ識別情報を受信した場合には、複数の診断分析装置の中から、第１のユーザ識別情報に対応する診断分析装置が、ユーザがアクセス権を有する対象分析装置として決定される。ユーザ識別情報として第１のユーザ識別情報と異なる第２のユーザ識別情報を受信した場合には、複数の診断分析装置の中から、第２のユーザ識別情報に対応する診断分析装置が対象分析装置として決定される。ユーザ識別情報を送信したポータブルコンピュータと通信して、対象分析装置に関連する診断分析装置情報がポータブルコンピュータに提示される。【選択図】図１
2018146597.tif 000002
【特許請求の範囲】
【請求項１】
複数の診断分析装置および複数のポータブルコンピュータへのネットワーク接続を有する少なくとも１つのサーバにより実施される方法であって、
前記ポータブルコンピュータのユーザに対応付けられたユーザ識別情報を前記ポータブルコンピュータから受信し、
前記ユーザ識別情報として第１のユーザ識別情報を受信した場合には、前記複数の診断分析装置の中から、前記第１のユーザ識別情報に対応する診断分析装置を、前記ユーザがアクセス権を有する対象分析装置として決定し、
前記ユーザ識別情報として前記第１のユーザ識別情報と異なる第２のユーザ識別情報を受信した場合には、前記複数の診断分析装置の中から、前記第２のユーザ識別情報に対応する診断分析装置を前記対象分析装置として決定し、
前記ユーザ識別情報を送信した前記ポータブルコンピュータと通信して、前記対象分析装置に関連する診断分析装置情報を前記ポータブルコンピュータに提示する、方法。
【請求項２】
前記第１のユーザ識別情報は、第１の権限レベルを有するユーザに対応し、
前記第２のユーザ識別情報は、前記第１の権限レベルとは異なる第２の権限レベルを有するユーザに対応する、請求項１に記載の方法。
【請求項３】
前記第１の権限レベルを有するユーザは、監督者、検査室オペレータ、検査室管理者から選択され、
前記第２の権限レベルを有するユーザは、監督者、検査室オペレータ、検査室管理者から選択され、前記第１の権限レベルを有するユーザとは異なる、請求項２に記載の方法。
【請求項４】
前記第１のユーザ識別情報に対応する診断分析装置は、第１の場所に設置される診断分析装置であり、
前記第２のユーザ識別情報に対応する診断分析装置は、第１の場所とは異なる第２の場所に設置される診断分析装置である、請求項１〜３のいずれか１項に記載の方法。
【請求項５】
前記対象分析装置を決定する工程では、受信した前記ユーザ識別情報に対応する場所を決定し、決定した場所に対応する診断分析装置を前記対象分析装置として決定する、請求項４に記載の方法。
【請求項６】
前記対象分析装置に関連する診断分析装置情報は、診断分析装置識別情報、前記診断分析装置のメンテナンス情報、および前記診断分析装置のソフトウエア更新情報のうちの少なくとも１つを含む、請求項１〜５のいずれか１項に記載の方法。
【請求項７】
前記対象分析装置に関連する診断分析装置情報は、前記対象分析装置により生成されたエラー情報、および前記対象診断分析装置により生成された精度管理情報のうちの少なくとも１つを含む、請求項１〜５のいずれか１項に記載の方法。
【請求項８】
前記対象分析装置を決定する工程では、複数の診断分析装置を前記対象分析装置として決定し、
前記ユーザ識別情報を送信した前記ポータブルコンピュータと通信して、前記対象分析装置として決定された前記複数の診断分析装置を前記ポータブルコンピュータに提示する工程と、
前記ポータブルコンピュータに提示された前記複数の診断分析装置のうちの少なくとも１つの選択を前記ポータブルコンピュータから受信する工程と、をさらに備え、
前記対象分析装置に関連する診断分析装置情報を前記ポータブルコンピュータに提示する工程では、前記選択された診断分析装置に関連する診断分析装置情報を前記ポータブルコンピュータに提示する、請求項１〜７のいずれか１項に記載の方法。
【請求項９】
複数の診断分析装置に接続された少なくとも１つのサーバへのネットワーク接続を有するポータブルコンピュータにより実施される方法であって、
前記ポータブルコンピュータのユーザに対応付けられたユーザ識別情報を、前記少なくとも１つのサーバに対して送信し、
前記ユーザがアクセス権を有する対象分析装置として前記少なくとも１つのサーバが前記複数の診断分析装置の中から決定した、前記ユーザ識別情報に対応する診断分析装置を、前記ポータブルコンピュータに表示し、
前記対象分析装置に関連する診断分析装置情報を前記少なくとも１つのサーバから受信して前記ポータブルコンピュータに表示する、方法。
【請求項１０】
前記対象分析装置を表示する工程では、複数の診断分析装置を前記対象分析装置として表示し、
表示された前記複数の診断分析装置の少なくとも１つの診断分析装置の選択を受け付ける工程をさらに備え、
前記対象分析装置に関連する診断分析装置情報を表示する工程では、前記選択された診断分析装置に関連する診断分析装置情報を表示する、請求項９に記載の方法。
【請求項１１】
前記選択された診断分析装置に関連する、キャリブレーション情報、サービス契約情報、および接続ステータス情報のうちの少なくとも１つを表示するステップを更に含み、前記接続ステータス情報は前記診断分析装置が前記少なくとも１つのサーバと通信し合っているか否かを示す、請求項９または１０に記載の方法。
【請求項１２】
前記対象分析装置に関連する教育またはサービス関連項目を表示させるためにユーザにより起動されるよう構成された、１以上のアイコンを表示する工程を更に含む、請求項９〜１１のいずれか１項に記載の方法。
【請求項１３】
少なくとも１つのアイコン上に数を重ねて表示して、前記少なくとも１つのアイコンに対応づけられた前記ユーザ未読の教育またはサービス項目の数を示す工程を更に含む、請求項１２に記載の方法。
【請求項１４】
前記対象分析装置の画像をカメラにより撮像するステップと、
前記対象分析装置の前記画像から生成されたデータを前記少なくとも１つのサーバに対して通信する工程と、
前記データに基づき決定された分析装置メンテナンスタスクを行うための指示を受信する工程と、
前記指示を表示する工程と、
を更に含む、請求項９〜１３のいずれか１項に記載の方法。
【請求項１５】
分析装置画面、教育画面、およびサービス画面を選択的に表示する工程を更に含み、前記分析装置画面は、前記対象分析装置を表示し、前記教育画面は、前記対象分析装置の使用に関連する情報を提供するアイコンを表示し、前記サービス画面は、前記対象分析装置へのサービスに関連する情報を提供するアイコンを表示する、請求項９〜１４のいずれか１項に記載の方法。
【請求項１６】
前記分析装置画面は、前記教育画面に表示された前記アイコンまたは前記サービス画面に表示された前記アイコンと同一のアイコンを更に表示する、請求項１５に記載の方法。
【請求項１７】
複数の診断分析装置に関連する情報を表示するシステムであって、
ユーザに対応付けられたユーザ識別情報を受け付けるよう構成されたポータブルコンピュータと、
前記ポータブルコンピュータと前記複数の診断分析装置とに対するネットワーク接続を有する少なくとも１つのサーバと、を備え、
前記少なくとも１つのサーバは、
前記ユーザ識別情報を前記ポータブルコンピュータから受信し、
前記ユーザ識別情報として第１のユーザ識別情報を受信した場合には、前記複数の診断分析装置の中から、前記第１のユーザ識別情報に対応する診断分析装置を、前記ユーザがアクセス権を有する対象分析装置として決定し、
前記ユーザ識別情報として前記第１のユーザ識別情報と異なる第２のユーザ識別情報を受信した場合には、前記複数の診断分析装置の中から、前記第２のユーザ識別情報に対応する診断分析装置を前記対象分析装置として決定し、
前記ポータブルコンピュータと通信して、前記対象分析装置に関連する診断分析装置情報を前記ポータブルコンピュータに提示する、システム。
【発明の詳細な説明】
【技術分野】
【０００１】
本発明は、診断分析装置情報の配布に関する。特に、本発明は、診断分析装置関連情報を表示する方法およびシステムに関する。
【背景技術】
【０００２】
血液分析装置等の診断分析装置は、血液検体の成分の様々な測定を行うために利用される。そのような分析装置は、病院や検査室に置かれることが多い。たとえば、ある病院には複数の検査室があり、各検査室には任意の数の分析装置が備えられることがある。
【０００３】
典型的な検査室環境では、１人以上の検査室オペレータが、診断検査を行い、試薬を交換し、分析装置のキャリブレーション等の分析装置に伴う他のメンテナンス関連の作業を行う必要がある。そのようなタスクを行う必要のある検査室オペレータの数は、一般に、検査室内の分析装置の数に比例する。これらのタスクや他のタスクを行うために、検査室オペレータは、分析装置から分析装置へと移動して、分析装置が正しく作動しているか、分析装置が何らかの問題を報告していないかを、判断しなければならない。多数の分析装置をモニタリングするには時間がかかる可能性があり、検査室オペレータの数を増やす必要があり得る。
【０００４】
オペレータによってはスキルレベルが非常に異なることがあり得る。そのような場合には、検査室オペレータは、所定の分析装置の使用方法に慣れていないことがあり得る。したがって、そのオペレータは、当該分析装置の操作を記述した１以上の説明書を読まなければならない。したがって、検査室には様々な操作説明書の保管庫を備える必要があり得る。説明書は、製造業者が判断した場合等、随時更新する必要があり得る。よって、各検査室は、手元の説明書を最新に保つために資源を費やさなければならない。
【０００５】
検査室人員が直面する操作上の問題とともに他の問題が、以下に説明する様々な実施形態の記述を読むことにより明らかになるであろう。
【先行技術文献】
【特許文献】
【０００６】
【特許文献１】特開２０１４−４４０４６号公報
【特許文献２】米国特許第７８７４１９８
【発明の概要】
【０００７】
第１の局面では、複数の診断分析装置および複数のポータブルコンピュータへのネットワーク接続を有する少なくとも１つのサーバにより実施される方法が、提供される。本方法は、ポータブルコンピュータのユーザに対応付けられたユーザ識別情報をポータブルコンピュータから受信するステップを含む。ユーザ識別情報として第１のユーザ識別情報を受信した場合には、複数の診断分析装置の中から、第１のユーザ識別情報に対応する診断分析装置が、ユーザがアクセス権を有する対象分析装置として決定される。ユーザ識別情報として第１のユーザ識別情報と異なる第２のユーザ識別情報を受信した場合には、複数の診断分析装置の中から、第２のユーザ識別情報に対応する診断分析装置が対象分析装置として決定される。ユーザ識別情報を送信したポータブルコンピュータと通信して、対象分析装置に関連する診断分析装置情報がポータブルコンピュータに提示される。
【０００８】
第２の局面では、複数の診断分析装置に接続された少なくとも１つのサーバへのネットワーク接続を有するポータブルコンピュータにより実施される方法が、提供される。本方法は、ポータブルコンピュータのユーザに対応付けられたユーザ識別情報を、少なくとも１つのサーバに対して送信するステップを含む。ユーザがアクセス権を有する対象分析装置として少なくとも１つのサーバが複数の診断分析装置の中から決定した、ユーザ識別情報に対応する診断分析装置が、ポータブルコンピュータに表示される。対象分析装置に関連する診断分析装置情報を少なくとも１つのサーバから受信してポータブルコンピュータに表示される。
【０００９】
第３の局面では、複数の診断分析装置に関連する情報を表示するシステムが、提供される。本システムは、ユーザに対応付けられたユーザ識別情報を受け付けるよう構成されたポータブルコンピュータと、ポータブルコンピュータと複数の診断分析装置とに対するネットワーク接続を有する少なくとも１つのサーバと、を備える。少なくとも１つのサーバは、ユーザ識別情報をポータブルコンピュータから受信し、ユーザ識別情報として第１のユーザ識別情報を受信した場合には、複数の診断分析装置の中から、第１のユーザ識別情報に対応する診断分析装置を、ユーザがアクセス権を有する対象分析装置として決定し、ユーザ識別情報として第１のユーザ識別情報と異なる第２のユーザ識別情報を受信した場合には、複数の診断分析装置の中から、第２のユーザ識別情報に対応する診断分析装置を前記対象分析装置として決定し、ポータブルコンピュータと通信して、対象分析装置に関連する診断分析装置情報をポータブルコンピュータに提示する。
【図面の簡単な説明】
【００１０】
【図１】診断検査が行われ得る例示的な検査環境である。
【図２】検査環境の一部として動作する、システム、タブレット、および分析装置間に存在する例示的なネットワークトポロジを示す。
【図３】ホームページ情報を表示するようにタブレットを準備するための例示的なフロー図である。
【図４Ａ】タブレットに表示され得るホームページを示す。
【図４Ｂ】タブレットに表示され得るホームページを示す。
【図４Ｃ】エラー情報をタブレットに対して通信するための例示的なフロー図を示す。
【図４Ｄ】エラー情報をタブレットに対して通信するための例示的なフロー図を示す。
【図５】分析装置関連情報を表示するようにタブレットを準備するための例示的なフロー図である。
【図６Ａ】選択された分析装置の分析装置関連情報を示すタブレットの表示例である。
【図６Ｂ】複数の選択された分析装置の分析装置関連情報を示すタブレットの表示例である。
【図７Ａ】教育関連情報を示すタブレットの表示例である。
【図７Ｂ】タブレットに表示された例示的なカスタマー掲示ページである。
【図７Ｃ】タブレットに表示された例示的なリアルタイムトレーニングページである。
【図７Ｄ】分析装置の拡張ビューを示す、タブレットに表示された例示的なリアルタイムトレーニングページである。
【図８Ａ】サービス関連情報を示すタブレットの表示例である。
【図８Ｂ】タブレットに表示された例示的なサービス到着推定時刻ページである。
【図８Ｃ】タブレットに表示された例示的なキャリブレーション履歴ページである。
【図８Ｄ】タブレットに表示された例示的なサービス履歴ページである。
【図８Ｅ】タブレットに表示された例示的なシステムメッセージページである。
【図９】本明細書で参照するコンピューティングデバイスの任意の部分を表し得る汎用コンピュータシステムを示す。
【発明を実施するための形態】
【００１１】
以下の実施形態は、１以上の検査室内で動作している１以上の診断分析装置に関連する診断・教育・サービス情報を集約するための例示的なシステムを説明する。一般に、検査室オペレータ、検査室監督者、および／または他の検査室関連の人員には、タブレットコンピューティングデバイス（以下、タブレット）が与えられる。タブレットは、同じまたは異なる検査室内で動作している診断分析装置と通信し合う中央システムと、ネットワークを介して通信する。中央システムは、１以上のサーバと通信し合う１以上のデータベース等の様々な源から、検査室内で動作している診断分析装置に関連する情報を集約する。このシステムはまた、検査室内で動作している診断分析装置から情報を直接取得する。システムは、その情報をタブレットに対して通信する。様々な異種のデータベースからのデータを集約して当該データをシステムによって処理すれば、当該データをタブレット内に格納してタブレット内で当該データを処理することと比べると、タブレットの処理およびメモリ必要量が緩和される。更に、中央システムは分析装置と通信し合っているので、当該システムによって呼び出され処理されたデータは、最新のものである。
【００１２】
タブレットのオペレータは、検査室内で動作している分析装置のリストをシステムによって提示される。オペレータは、リスト内の分析装置を選択し、選択した分析装置に関連する情報をシステムから呼び出し得る。
【００１３】
図１は、診断検査が行われ得る例示的な検査環境１００を示す。病院１０５とともに、様々な診断検査を行うために１以上の分析装置１１０ａ〜１１０ｃが備えられ得る病院１０７ａ〜１０７ｃが示されている。監督者１１５と、１人以上の検査室管理者１１７ａ〜１１７ｃと、１人以上の検査室オペレータ１２０ａ〜１２０ｃは、分析装置１１０ａ〜１１０ｃを操作し得る。より具体的には、監督者１１５は、全ての病院１０５および１０７ａ〜１０７ｃの動作を病院１０５内にて監督または管理し得る。検査室管理者１１７ａ〜１１７ｃは、ある病院１０７ａ〜１０７ｃ内の全ての動作を監督または管理し得る。各病院内では、１人以上のオペレータ１２０ａ〜１２０ｃが、たとえば、血液学的検査の準備、分析装置１１０ａ〜１１０ｃ内の試薬の交換、分析装置１１０ａ〜１１０ｃのキャリブレーション等、様々な診断関連の仕事を行い得る。
【００１４】
監督者１１５、検査室管理者１１７ａ〜１１７ｃ、および検査室オペレータ１２０ａ〜１２０ｃには、たとえばＡｐｐｌｅ  ｉＰａｄ（登録商標）、Ａｎｄｒｏｉｄ（登録商標）オペレーティングシステムで動作するタブレット、または異なるオペレーティングシステムで動作する異なるタブレット等の、タブレットコンピュータ１１４ａ〜１１４ｇ（以下、タブレット）が提供され得る。タブレット１１４ａ〜１１４ｇは、様々な源から分析装置関連情報を集約し、かつその集約された情報をタブレット１１４ａ〜１１４ｇに対して通信するよう構成された、中央システム１１３と無線通信可能である。タブレットは、ポータブルコンピュータの一例である。ポータブルコンピュータとは、１つの場所から他の場所へ移動するよう設計されたコンピュータのことである。たとえば、ポータブルコンピュータは、ノートパソコンまたはスマートデバイスに相当し得るが、デスクトップコンピュータは含み得ない。スマートデバイスとは、タッチスクリーンインタフェースを備えるワイヤレスポータブルコンピュータのことである。タブレット１１４ａ〜１１４ｇはスマートデバイスの一種である。他のスマートデバイスには、スマートフォンおよびウエラブルコンピュータが含まれる。持ち運び可能なタブレットを用いて各病院の検査室に設置された分析装置の動作状況を確認できるので、オペレータはわざわざ分析装置の設置場所まで移動しなくても、タブレットを用いてどこでも分析装置の動作状況を確認することができる。たとえば、監督者１１５は管理範囲内の全ての病院に設置された分析装置の動作状況を、わざわざ各病院まで行かなくても把握することができる。
【００１５】
分析装置１１０は、シスメックスＸＮシリーズ分析装置等の任意の種類の診断分析装置に相当し得る。分析装置１１０は、血液学的検査等の様々な診断検査を行うよう構成され得る。分析装置１１０は、たとえば、分析装置１１０内に重大な問題が発生しているか否かの情報、試薬使用情報、および分析装置１１０によって格納された他の情報等の情報を、中央システム１１３に対して通信容易とする、ネットワークハードウエアを含み得る。分析装置１１０は、折り返し、中央システム１１３へ情報を報告し得る。中央システム１１３は、たとえば、分析装置１１０内に何らかの問題があるか否かを判断するために、この情報を分析し得る。
【００１６】
図２は、例示的なネットワークトポロジ２００を示す。ネットワークトポロジ２００は、タブレット１１４と中央システム１１３の様々な部分との間で情報を集約し通信を行うために、システム１１３、タブレット１１４、および分析装置１１０間に存在する。図示するように、タブレット１１４および分析装置１１０は、多数の検査室／カスタマーネットワーク２１０のうちの１つに存在し得る。２つのタブレット１１４と３つの分析装置１１０が図示されているが、任意の数のタブレットと分析装置とが１つのカスタマーネットワーク２１０内にあってよいことを、理解されたい。タブレット１１４の数は、分析装置情報へのアクセスを必要とする検査室内の人員の数に応じたものでもよい。たとえば、監督者、検査室管理者、および／または検査室オペレータにタブレット１１４が提供され得る。
【００１７】
タブレット１１４および分析装置１１０は、ネットワーク２１２を介して中央システムネットワーク２１５と通信する。中央システムネットワーク２１５は、シスメックスネットワーク通信システム（ＳＮＣＳ）または診断情報を格納するための異なるネットワークシステムに相当し得る。中央システムネットワーク２１５は、一次通信サーバ（ＰＣＳ）２１７を含み得る。ＰＣＳ２１７は、中央システムネットワーク２１５内に格納された様々な種類の情報へのアクセスを容易にする、ウェブサービスインタフェースを実現するものである。たとえば、ＰＣＳ２１７は、分析装置１１０に関連する様々な種類の情報を格納する、１以上のデータベース２２５またはデータベースサーバと通信し合ってよい。
【００１８】
中央システムネットワーク２１５はまた、ネットワーク２１２上に存在する様々なデバイスとの情報のやりとりを容易にする、マシンツーマシン（Ｍ２Ｍ）サーバ２２０も含む。たとえば、Ｍ２Ｍサーバ２２０は、分析装置１１０と情報のやりとりを行い得る。Ｍ２Ｍサーバ２２０は、分析装置１１０から受信した情報をフォーマット化し、フォーマット化された情報をＰＣＳ２１７へ中継し得る。Ｍ２Ｍサーバ２２０はまた、ある分析装置１１０に対応づけられたフォーマット化メッセージをプッシュ通知サーバ２３０に対して通信するように、構成され得る。プッシュ通知サーバ２３０は、１以上のタブレット１１４へのメッセージの配信を容易にするものである。
【００１９】
図２に示す構成要素が行う様々な動作を、図３〜８を参照して以下に説明する。これらの動作は、ネットワーク化され得る１以上のコンピュータシステムによって行われ得る。この点に関して、本コンピュータシステムは、以下に説明する１以上の動作を所定のコンピュータに行わせるコンピュータ実行可能な指示コードを記憶する、非一時的タイプの記憶メモリを含み得る。
【００２０】
図３は、タブレット１１４のユーザを分析装置情報へアクセス可能とするための様々な動作を示す。ブロック３０５において、ユーザログイン入力要求メッセージ（ｐｒｏｍｐｔ）がタブレット１１４のユーザに提示され得る。この入力要求メッセージは、当該ユーザを認証するために使用されるユーザ名とパスワードとを要求し得る。指紋認証や顔認証等の他の認証手段が、単独で、またはユーザを認証する他の認証手段と組み合わせて使用してよい。
【００２１】
ブロック３１０において、ＰＣＳ２１７はユーザ資格証明の検証を試みる。たとえば、ＰＣＳ２１７は、ユーザを検証するためにユーザデータベースを探索し得る。表１は、ユーザに対応づけられた例示的なデータベース記録を示す。データベース記録は、ＰＣＳ２１７と通信し合うデータベース２２５内に格納され得る。
【００２２】
【表１】
2018146597.tif 000003
【００２３】
例示的なデータベース記録は、ユーザの名前、Ｅメールアドレス、パスワード、病院グループＩＤ、病院ＩＤ、権限レベル、および経験レベルを特定する。Ｅメールアドレスおよびパスワードは、認証目的のために利用され得る。他のユーザ関連情報がデータベース内に格納され得る。
【００２４】
ブロック３１５において、ユーザ現場情報が判断され得る。たとえば、上記記録の病院ＩＤフィールドは、ユーザが働く病院または検査室を特定し得る。ある特定の病院ＩＤが、任意の数の分析装置１１０に対応づけられてもよく、ユーザがアクセス権を有する分析装置１１０を判断するのに利用されてもよい。
【００２５】
権限レベルフィールドは、たとえば監督者、検査室オペレータ、検査室管理者等のユーザの権限レベルを特定する。権限レベルは、ユーザに対して通信され得るメッセージのカテゴリを判断するのに利用され得る。
【００２６】
経験フィールドは、対応づけられた分析装置１１０に対してユーザが有する経験のレベルを特定する。この情報は、ユーザのアクセスを当該ユーザが経験を有する情報に限定するのに利用され得る。
【００２７】
ブロック３２０において、ユーザお気に入り情報が判断され得る。たとえば、ユーザのお気に入りの分析装置やドキュメント等が判断され得る。ユーザは、この情報を予め特定しておくことができる。
【００２８】
ブロック３２５において、ＰＣＳ２１７は、ユーザの現場に置かれている分析装置１１０を判断する。表２は、ある特定の病院に置かれた分析装置を判断するのに利用され得る、病院と分析装置ＩＤとを関連づける例示的なデータベース記録を示す。分析装置ＩＤフィールド内の情報は、１つの分析装置を一意的に識別する識別子に相当し得る。データベース記録は、ＰＣＳ２１７と通信し合う複数のデータベース２２５のうちの１つに格納され得る。
【００２９】
【表２】
2018146597.tif 000004
【００３０】
ユーザの現場にある分析装置１１０を判断した後、ＰＣＳ２１７は、各分析装置１１０の詳細を特定するデータベースを照会することにより、各分析装置１１０に関連する追加情報を判断し得る。表３は、ある分析装置１１０に対応づけられた例示的なデータベース記録を示す。このデータベース記録は、ＰＣＳ２１７と通信し合う複数のデータベース２２５のうちの１つに格納され得る。表１、２に示された情報は、当該データベースへのネットワーク接続を有するコンピュータを介して、それらの分析装置１１０と関連のある１人以上の営業担当者によって提供され得る。表３の情報の一部は、ネットワーク接続を有するコンピュータを介して営業担当者によって提供され得る。表３内のＥＣ０００５やＥＣ０００７等の受信エラーコードは、分析装置１１０によって通信され得る。
【００３１】
【表３】
2018146597.tif 000005
【００３２】
上記例示的な記録では、特定の分析装置１１０に対応づけられた、プログラムバージョン、エラーコード、サービス履歴、およびキャリブレーション履歴が提供される。
【００３３】
ブロック３３０において、ＰＣＳ２１７は、ユーザの現場にあると判断された分析装置に対応づけられた分析装置ステータス情報を、Ｍ２Ｍサーバ２２０に要求する。すると、Ｍ２Ｍサーバ２２０は、ユーザの現場にあると判断された分析装置とネットワークを介して通信し、それぞれの分析装置６０７内に格納されているステータス情報、ＱＣ情報、および／または他の情報を要求する。
【００３４】
ブロック３３５において、分析装置（複数可）６０７は、ステータス情報をＭ２Ｍサーバ２２０に対して通信し、Ｍ２Ｍサーバ２２０は、このステータス情報をＰＣＳ２１７へ転送する。ステータス情報は、当該診断分析装置によって生成されたエラー情報、当該診断分析装置によって生成された精度管理情報、および／または当該分析装置によって生成された他の情報を含み得る。
【００３５】
ブロック３４０において、ＰＣＳ２１７は、当該分析装置によって生成された情報をデータベースに格納し得る。
【００３６】
ブロック３４５において、ユーザが認証されれば、タブレット１１４は、当該ユーザに対応づけられたホーム画面が表示され得る。
【００３７】
図４Ａおよび図４Ｂは、タブレット１１４に表示され得る例示的なホーム画面４００を示す。ユーザ情報欄４０５は、たとえば、ユーザの名前や肩書き等、ユーザに対応づけられた情報を表示する。お気に入り分析装置欄４０７は、ユーザがお気に入り分析装置と指定した分析装置のリストを表示する。お気に入りドキュメント欄４１０は、ユーザがお気に入りドキュメントと指定したドキュメントのリストを表示する。お気に入りの分析装置およびドキュメントのリストは、ユーザ情報欄内の編集ボタン４０６を介して編集できる。たとえば、編集ボタン４０６を押すことにより、お気に入りのリストが立ち上げられ、削除したいお気に入りがユーザにより特定可能とされ得る。あるいは、編集ボタン４０６を押すことにより、お気に入り分析装置欄４０７内にリストアップされた項目を、ユーザがホーム画面４００からその項目を削除できる状態へと変更してもよい。
【００３８】
ホーム画面はまた、メモボタン４２２と、フィードバックボタン４１５と、ヘルプボタン４２０と、警報ボタン４１７とを含む。ヘルプボタン４１７の起動により、ある特定の時点でタブレット１１４に表示されている様々な欄に関連する状況依存ヘルプ情報を備える、ダイアログボックスが立ち上げられ得る。フィードバックボタン４１５により、中央システムネットワーク２００の管理者へのフィードバック情報の送信を容易にするエディタを備える、ダイアログが立ち上げられ得る。
【００３９】
メモボタン４２２の起動により、メモ／コメントのリストを備えるダイアログボックスが立ち上げられ得る。同じまたは異なる検査室環境内にいる、当該タブレット１１４のユーザ、当該タブレット１１４の異なるユーザ、または異なるタブレット１１４を使用しているユーザによって、それらのメモ／コメントが書かれ得る。この点において、これらのメモ／コメントは、ＰＣＳ２１７と通信し合う複数のデータベース２２５のうちの１つに格納され、ユーザがメモボタン４１５を起動したときに、ＰＣＳ２１７からタブレット１１４に対して通信され得る。メモダイアログボックスはまた、新規のメモ／コメントの作成を容易にするエディタを含み得る。この新規のメモ／コメントは、ＰＣＳ２１７に対して通信され、複数のデータベース２２５のうちの１つに格納され得る。これらのメモ／コメントは、ユーザが互いに情報を共有できるよう、ある検査室内の全ての検査室人員が閲覧できるようになっていてよい。たとえば、検査室オペレータが、次のシフトに来る検査室オペレータのために、分析装置の試薬を交換するというメモを残すことができる。
【００４０】
警報ボタン４１７の起動により、通知のリストを含むダイアログボックスが立ち上げられ得る。このリストは、ＰＣＳ２１７またはＭ２Ｍサーバ２２０のいずれかからタブレット１１４へプッシュされる重要メッセージを含み得る。いくつかの実施態様では、未読の通知の数が警報ボタン４１７の上に重ねて表示されて、保留中の未読の通知があることをユーザに知らせる。
【００４１】
Ｍ２Ｍサーバ２２０は、中央システムネットワーク２１５の外に存在するプッシュ通知サーバ２３０を介して、タブレット１１４へメッセージをプッシュし得る。たとえば、Ａｐｐｌｅ  ｉＰａｄ（登録商標）へメッセージをプッシュするためにＡｐｐｌｅ（登録商標）プッシュ通知サーバが利用され得る。重要メッセージは、ある分析装置１１０から発せられたメッセージを含んでよく、たとえば、注意すべき障害状況に関するものであってよい。たとえば、分析装置１１０の試薬の量が少なくなっているかもしれない。別のプッシュ−通知サーバを利用することにより、タブレット１１４と中央システムネットワーク２１５との間に通信問題がある場合に、重要メッセージを当該タブレットに対して通信するための、二次的経路が提供される。
【００４２】
いくつかの実施態様では、ＰＣＳ２１７および／またはＭ２Ｍサーバ２２０は、所定のメッセージをタブレット１１４へプッシュするか否かを判断する前に、ユーザの権限レベルを評価し得る。各権限レベルは、フロー図４Ｃおよび４Ｄに示すように、所定の通知が所定のユーザのタブレット１１４へプッシュされるべきか否かを判断するために使用される、通知要求設定と対応づけられ得る。
【００４３】
図４Ｃを参照して、ブロック４４２において、分析装置６０７がエラーを検知し得る。ブロック４４４において、分析装置６０７は、当該エラーに対応づけられたエラー情報をＭ２Ｍサーバ２２０へ送信し得る。
【００４４】
ブロック４４６において、Ｍ２Ｍサーバ２２０は、所定のユーザ権限レベルに関して、当該エラーを、プッシュ通知サーバ２３０を介してユーザへプッシュすべきか否かを判断し得る。たとえば、Ｍ２Ｍサーバ２２０は、当該エラーメッセージをプッシュ通知サーバ２３０を介してプッシュするか否かを判断する際に、そのエラーレベルを、データベースに格納された様々なユーザ権限レベルと比較し得る。
【００４５】
表４は、上記ブロック４４６で言及したデータベースに格納され得る、それぞれ異なる権限レベルを有するユーザに対応づけられた、様々な要求設定を特定する例示的なデータベース記録を示す。このデータベース記録は、ＰＣＳ２１７と通信し合う複数のデータベース２２５のうちの１つに格納され得る。データベース記録は、１つの通知が同一の病院グループまたは病院内の複数のメンバーに送信されるように、表１に示された各病院グループＩＤまたは病院ＩＤについて作成され得る。
【００４６】
【表４】
2018146597.tif 000006
【００４７】
たとえば、レベル１以上かつレベル２未満の精度管理（ＱＣ）警告レベルに関する通知は、検査室オペレータへプッシュされ得るが、検査室管理者または監督者へはプッシュされない。これは、検査室管理者や監督者は低レベルのＱＣ警告に煩わされたくない可能性があるためである。他方、レベル３以上の分析装置警告レベルは、全員にプッシュされ得る。また、たとえば、試薬残量不足などの異常であれば検査室オペレータのみに通知され、分析装置の試薬分注アームの動作異常、分析装置の温度異常などであれば検査室オペレータおよび検査室管理者に通知される。
【００４８】
ブロック４４６において、ユーザの権限レベルを考慮してエラーメッセージが重大であると判断された場合には、ブロック４４８において、Ｍ２Ｍサーバは、エラー情報をタブレット１１４へプッシュさせる要求を、プッシュ通知サーバ２３０へ送信し得る。
【００４９】
ブロック４５２において、タブレット１１４は、プッシュ通知をエラー情報と共に表示し得る。
【００５０】
図４Ｄは、エラー情報が所定の権限レベルに関して重大でないと判断された場合に行われる動作を示す。ブロック４６２において、分析装置６０７がエラーを検知し得る。ブロック４６４において、分析装置６０７は、当該エラーに対応づけられたエラー情報をＭ２Ｍサーバ２２０へ送信し得る。
【００５１】
ブロック４６６において、Ｍ２Ｍサーバ２２０は、ユーザの権限レベルに基づきエラーレベルが重大でないと判断し得る。すなわち、このエラーレベルは、ユーザが属する権限レベルについて重大エラーのレベルには達しないものである。
【００５２】
ブロック４６８において、タブレットは、Ｍ２Ｍサーバ２２０にエラー情報を要求し得る。タブレット１１４は、エラー情報を周期的に要求するよう構成され得る。更にまたは代替的に、この要求は、たとえば、ユーザがタブレットにログインした等の何らかのユーザの行為に応じて送信されてよい。
【００５３】
ブロック４７０において、エラー情報がＭ２Ｍサーバ２２０からタブレット１１４に対して通信される。ブロック４７２において、このエラー情報は、タブレット１１４に表示され得る。
【００５４】
分析装置固有情報を表示する分析装置ページ、１以上の分析装置に対応づけられた教育関連情報へのアクセスを容易にする教育ページ、および１以上の分析装置に対応づけられたサービス関連情報へのアクセスを容易にするサービスページ、への移行を容易にする、一群のナビゲーションタブ４３０ａ〜４３０ｄがホームページ４００に表示され得る。他の種類の情報を有する他のページへのアクセスを容易にする他のタブが設けられ得る。ナビゲーションタブ４３０ａ〜４３０ｄは、ページ間のナビゲーションを容易にするために常時表示され得る。ホームタブ４３０ａにより、容易にホームページ４００へ戻ることができる。
【００５５】
図５は、タブレット１１４のユーザが分析装置タブ４３０ｂを選択した際に生じる様々な動作を示す。ブロック５０５において、ユーザが分析装置タブ４３０ｂを選択する。分析装置タブ４３０ｂが選択されたことを示す通知がＰＣＳ２１７に対して通信され得る。
【００５６】
ブロック５１５において、タブレット１１４は、上記決定された分析装置情報に関連する情報を提供する、分析装置ページ６００（図６）を表示し得る。分析装置ページは、ユーザの現場に置かれているとＰＣＳ２１７が判断した分析装置１１０のリストを表示し得る。
【００５７】
ブロック５２０において、ユーザは、分析装置ページ６００を介して複数の分析装置６０７（図６）のうちの１つを選択し得る。
【００５８】
ブロック５２５において、選択された分析装置６０７に関連する情報がＰＣＳ２１７に対して通信される。そして、ＰＣＳ２１７は、ユーザがシステムにログインした際に当該ユーザの現場に対応づけられた分析装置情報が格納されたデータベースから、当該選択された分析装置に対応づけられた分析装置ステータス情報を取得し得る。
【００５９】
ブロック５３０において、ＰＣＳ２１７は、選択された分析装置６０７に対応づけられた追加情報を取得し、この追加情報をステータス情報と共にタブレット１１４に対して通信する。たとえば、この追加情報は、診断分析装置識別情報、診断分析装置のメンテナンス情報、および診断分析装置のソフトウエア更新情報であり得る。他の情報が取得されてもよい。
【００６０】
ブロック５３５において、タブレット１１４は、分析装置ステータス情報と追加情報とを分析装置ページ６００に表示する。
【００６１】
図６Ａおよび図６Ｂは、タブレット１１４に表示され得る例示的な分析装置ページ６００を示す。上述したように、分析装置ページ６００に示された要素のいくつかは、予めホームページ４００に示されている。加えて、分析装置ページ６００は、分析装置リスト欄６０５、選択済み分析装置情報欄６１０、および関連情報欄６１５を含む。
【００６２】
分析装置リスト欄６０５は、上述したように、ブロック５１５において決定された様々な分析装置１１０をリストアップする。分析装置リスト欄６０５は、所定の分析装置１１０に対応づけられた画像および／またはテキストを示し得る。所定の分析装置をお気に入り分析装置として容易に示せるように、各分析装置１１０にウィジェット６０８が設けられ得る。選択されたお気に入りに関連する情報は、ＰＣＳ２１７に対して通信され、当該ユーザに対応づけられ得る。お気に入りとして選択された分析装置１１０は、ホームページ４００上のお気に入り分析装置欄４０７に示され得る。
【００６３】
選択済み分析装置情報欄６１０は、選択された分析装置６０７に固有の任意の情報を含み得る、分析装置固有情報を表示する。この情報は、たとえば、当該分析装置の次のキャリブレーションの日付等の、ある特定イベントの日付を含み得る。サービス契約情報を表示して、当該選択された分析装置６０７を使用するためのサービス契約が切れるまでの利用可能日数を示し得る。接続アイコン６１２を表示して、選択された分析装置６０７の接続ステータスを示し得る。たとえば、接続アイコン６１２を緑色に表示して、選択された分析装置６０７が中央システムネットワーク２１５のＭ２Ｍサーバ２２０と接続されているまたは通信し合っていることを、示し得る。赤色の接続アイコン６１２により、選択された分析装置６０７がオフラインであることを示し得る。他の分析装置固有情報を、選択済み分析装置情報欄６１０内に表示してもよい。
【００６４】
いくつかの実施態様では、図６Ｂの選択ボックス６３０で示すように、分析装置リスト欄６０５から複数の分析装置が選択され得る。複数の分析装置が選択された場合、追加分析装置情報欄（６３５参照）がページ６００に追加され得る。縦スクロールバーをページに提示して、任意の数の分析装置情報欄がページ６００内に収まらない場合には、それらの分析装置情報欄をスクロールしてもよい。
【００６５】
関連情報欄６１５は、選択された分析装置６０７に対応づけられた教育および／またはサービス情報へのアクセスを容易にする、一群のボタンを表示し得る。これらのボタンを介して提供される情報は、ユーザの現場内の分析装置に対応づけられた、一般教育および／またはサービス情報に相当し得る。提供される情報は、選択された分析装置６０７に関係のある情報のみが示されるよう、分析装置でフィルタリングされる。これらボタンを介して提供され得る情報の詳細を以下に説明する。
【００６６】
図７Ａは、ユーザが教育タブ４３０ｃを押した際にタブレット１１４に表示され得る、例示的な教育ページ７００を示す。教育ページ７００は、様々な形態の教育情報へのアクセスを容易にする、様々なボタンを表示する。たとえば、分析装置ワークブックボタン７０７を選択することにより、様々な分析装置に対応づけられたワークブックのリストを表示させ得る。分析装置のリストを検査室でフィルタリングして、当該検査室内の分析装置１１０に対応づけられたワークブックのみが示されるようにしてもよい。このボタンが上述した分析装置ページ６００に表示されると、当該リストは、選択された分析装置６０７に対応づけられたワークブックに、更に絞り込まれてもよい。ユーザは、リスト上のワークブックを選択してそのワークブックを呼び出し得る。このワークブックは、複数のワークブックを格納するＰＣＳ２１７のデータベースから呼び出され得る。代替的にまたは追加的に、ワークブックをローカルでタブレット上に格納／キャッシュして、ドキュメントへの素早いアクセスを容易にしてもよい。
【００６７】
同様に、ビデオライブラリ７１０、カスタマー掲示７１２、ジャーナル７１７、製品パンフレット７１５、ガイドおよび説明書７２０、ならびにＦＡＱ７２２と示されたボタンのうちの１つを選択することにより、当該選択されたボタンに対応づけられた項目のリストを表示させ得る。たとえば、図７Ｂは、表示され得る例示的なカスタマー掲示ページ７３０を示す。ページ７３０は、開く・ダウンロードボタン７３２を介し、カスタマー掲示関連ドキュメントを開いたりダウンロードしたりすることを容易にするよう、構成され得る。特定のドキュメントをお気に入りドキュメントとして印を付け易くするために、お気に入りボタン７３４が設けられ得る。
【００６８】
当該検査室内の分析装置１１０に対応づけられた項目のみが示されるように、項目のリストが検査室でフィルタリングされ得る。上述した分析装置ページ６００に所定のボタンが表示される際に、当該リストは、選択された分析装置６０７に対応づけられた項目に、更に絞り込まれ得る。ユーザは、リスト上の項目を選択して当該項目を呼び出し得る。この項目は、それぞれの項目を格納するＰＣＳ２１７のデータベースから呼び出され得る。代替的にまたは追加的に、項目をローカルでタブレット上に格納／キャッシュして、項目への素早いアクセスを容易にしてもよい。
【００６９】
いくつかの例では、未視聴のビデオや未読の掲示等の数を表す数７１１、７１３を所定のボタン７１０、７１２の上に重ねて表示して、ユーザに未視聴のビデオや未読の掲示等があることを知らせ得る。一旦ユーザが読むと、ＰＣＳ２１７に対して通知が通信され、ＰＣＳ２１７は、ユーザが特定の項目を視聴した／読んだことを示すように、当該ユーザに対応づけられたデータベースを更新し得る。
【００７０】
リアルタイムトレーニングボタン７０５によって、リアルタイムでの検査室オペレータのトレーニングが容易にされ得る。たとえば、ユーザはリアルタイムトレーニングボタンを選択し、これにより、トレーニングが望まれる分析装置を選択または特定するためのダイアログボックスを、タブレットに提示させることができる。この点において、ダイアログボックスは、検査室内の分析装置を選択するためのリスト、またはトレーニングが望まれる分析装置のモデルをユーザが特定できる入力フィールドを、提示し得る。いくつかの実施態様では、図７Ｃに示すように、ユーザは、分析装置を識別するために分析装置に配置されたＱＲコード（登録商標）または他の識別子のビデオ画像を、スキャンまたは撮像するよう促され得る。図７Ｃを参照して、ページ７５０は、分析装置に配置されたＱＲコードステッカ等の識別スタンプにユーザがタブレットカメラを向けるよう促す指示を、含み得る。そして、ユーザは、開始ボタン７５２を押すように指示され、これにより、分析装置のリアルタイムビデオ画像をページ７５０上に表示させ得る。
【００７１】
選択／特定された分析装置に対応づけられた情報は、ＰＣＳ２１７に対して通信され得る。そして、ＰＣＳ２１７は、選択された分析装置に対応づけられたリアルタイムトレーニングおよび／またはメンテナンスタスク情報を、データベース２２５から探し出し得る。トレーニング／メンテナンス情報は、所定のタスクを行うためのトレーニング／メンテナンス指示と共に、タブレット１１４のいわゆる拡張現実エンジン（ＡＲＥ）によって利用され得る、選択された分析装置の様々な３Ｄモデルを含み得る。代替実施態様では、この情報が、ＰＣＳ２１７への接続が要求されないように、前もってタブレット１１４にダウンロードされ得る。
【００７２】
タブレット１１４のＡＲＥは、他の画像上に画像を重ねて表示することによって動作する。ＡＲＥは、ユーザが分析装置を見るビューを確認するために、分析装置の３Ｄモデルを使用する。次いで、ＡＲＥは、ユーザに分析装置のある領域を識別させるために、パターン、ポインタ、矢印等を分析装置の画像に重ねて表示し得る。たとえば、図７Ｄに示すように、影を付けたパターンを分析装置のパネル上に示し得る。この影を付けたパターンは、ユーザが分析装置に対してタブレットを動かすと、リアルタイムで分析装置と共に動き得る。テキスト情報７５６をタブレットに提示して、たとえば、分析装置のパネルの取り外し等の特定の行為を行うよう、ユーザに指示し得る。ＡＲＥは、当該パネルの取り外しをリアルタイムで検知し、次いで、分析装置の新たに見えるようになった領域または異なる領域に、パターン、ポインタ、矢印等を再配置し得る。追加のテキスト情報が、他の操作を完了させるための指示と共に、ページ７５０上に表示され得る。
【００７３】
いくつかの例では、分析装置の問題をトラブルシューティングするためにＡＲＥが利用され得る。たとえば、ＡＲＥは、カバーパネルを開くようユーザを促し得る。次いで、ＡＲＥは、画像認識を介して、分析装置の何らかの構成要素が規格外であるか否かを判定し得る。たとえば、ＡＲＥは、画像認識を介して、内部ラッチが完全な閉位置にないことを判定し得る。この場合、ＡＲＥは、この問題を解決する手順をユーザに指示し得る。
【００７４】
図８Ａは、ユーザがサービスタブ４３０ｄを押した際にタブレット１１４に表示され得る、例示的なサービスページ８００を示す。サービスページ８００は、ＰＣＳ２１７と通信し合う１以上のデータベース内に格納され得る様々な形式のサービス情報へのアクセスを容易にする、様々なボタンを表示する。いくつかの例では、このサービス情報は、中央システムネットワーク２１５外の源から発せられ得る。いくつかの例では、ボタンを押すことによって、当該選択されたボタンに関連する項目のリストを含むページを表示させ得る。ユーザは、リスト上の項目を選択して、当該項目を呼び出し得る。この項目は、それぞれの項目を格納するＰＣＳ２１７のデータベースから呼び出され得る。代替的にまたは追加的に、項目をローカルでタブレット１１４上に格納／キャッシュして、この項目への素早いアクセスを容易にしてもよい。項目は、ＰＣＳ２１７により生成されるドキュメントに相当し得る。また、項目は、ＰＤＦフォーマットまたは異なるフォーマットで提供され得る。
【００７５】
図８Ｂに示すように、サービスＥＴＡボタン８０５を押すことにより、サービス技術者が到着する推定時刻を示すページを表示させ得る。図８Ｂを参照して、技術者の写真８５２が、その技術者が到着する到着推定時刻（ＥＴＡ）８５４と共に示され得る。ＥＴＡ８５４は日数、時間数、等で表され得る。技術者がＥＴＡ８５４を提供し得る。すなわち、技術者は、この情報を中央システム１１３に対して通信し得る。あるいは、中央システム１１３が、たとえば、ＧＰＳ情報、または技術者の現在位置および／もしくは技術者の現在の仕事の量／スケジュールを示す他の情報に基づいて、ＥＴＡ８５４を判断し得る。サービス技術者の要請は、ホームページ４００の支援欄４１２を介してなされている。ユーザ側からサービス技術者の要請を行わなくても、サービス技術者が自発的にユーザの病院を訪問してもよい。たとえば、分析装置にユーザが対処できないエラーが発生した場合に、自動的にサービスセンターで訪問サービスのための準備を行い、ユーザに到着推定時刻を連絡してもよい。これによって、ユーザの負担を軽減し、分析装置のダウンタイムを減らすことが可能となる。
【００７６】
キャリブレーション履歴８０７と示されたボタンを押すことにより、たとえば、図８Ｃに示すキャリブレーション履歴ページ等の、キャリブレーション履歴情報を含むページ８６０を表示させ得る。ページ８６０は、開く・ダウンロードボタン８６２を介し、キャリブレーション関連ドキュメントを開いたりダウンロードしたりすることを容易にするよう、構成され得る。特定のドキュメントをお気に入りドキュメントとして印を付け易くするために、お気に入りボタン８６４が設けられ得る。
【００７７】
証拠に基づくメンテナンス８１０と示されたボタンを押すことにより、１以上の分析装置上で行われたメンテナンスに関連するドキュメントのリストを含むページを表示させ得る。これらのドキュメントは、分析装置上で行われたメンテナンスの証拠を提供するのに利用され得る。この証拠は、認証のために必要となることがある。
【００７８】
サービス要約ボタン８１２を押すことにより、ある検査室内の１以上の分析装置１１０に対応づけられたオープンサービス項目と保留中の項目とクローズド項目とを示すダイアログボックスを、表示させ得る。
【００７９】
サービス現場レポート８１５と示されたボタンを押すことにより、１以上の分析装置に対応づけられたサービス現場レポートに関連するドキュメントのリストを含むページを表示させてもよい。
【００８０】
サービス履歴ボタン８１７を押すことにより、たとえば、図８Ｄに示すサービス履歴ページ８７０等の、選択された分析装置に対応づけられたサービス履歴情報を含むページ８７０を表示させ得る。サービス履歴情報は、サービス履歴項目のリスト８７２に相当し得る。各項目に対応づけられたＲＩＤ、種類、日付、および内容等の情報が示され得る。リストをフィルタリングするためのフィルタボタン８７４が設けられ得る。たとえば、フィルタは、クローズされたサービス履歴項目のみがリストされるように「クローズド」に設定され得る。他のフィルタオプションが指定され得る。
【００８１】
システムメッセージボタン８２０を押すことにより、たとえば、図８Ｅに示す、分析装置１１０自身によって生成されたエラーログおよび／または他のログ等の、様々なログ８８２を示すページ８８０を表示させ得る。ある期間中に生成されたシステムメッセージの数のヒストグラム８８４が表示され得る。ログおよびヒストグラムに関連する情報は、予めＰＣＳ２１７のデータベースに格納され得る。代替的にまたは追加的に、この情報は、システムメッセージボタン８２０の押下と同時発生的に当該分析装置に要求されてもよい。たとえば、ボタン押下を示す通知がＰＣＳ２１７に対して通信され得る。ＰＣＳ２１７は、この要求をＭ２Ｍサーバ２２０へ転送し、これにより、当該情報を分析装置１１０に要求し得る。次いで、分析装置１１０から受信されたデータが、ＰＣＳ２１７へ転送され、必要に応じて転送前にフォーマット化され、タブレット１１４へ転送される。
【００８２】
発注追跡ボタン８２２を押すことにより、追跡情報を示すダイアログボックスを表示させ得る。この追跡情報は、当該検査室に出荷予定の１以上のアイテムに対応づけられる。いくつかの実施態様では、このダイアログボックスは、ＦｅｄＥｘやＵＰＳ等の追跡ウェブサイト等、運送業者の追跡ウェブサイトをロードするように構成されたウェブブラウザを実行し得る。この追跡情報は、様々な検査室および／または特定の分析装置に追跡情報を関連づける記録を含む、データベースに格納され得る。ボタン押下を示す通知がＰＣＳ２１７に対して通信され得る。次いで、ＰＣＳ２１７は、当該ユーザが働く検査室に対応づけられた追跡情報を探索し転送し得る。そして、追跡番号のリストがユーザに提示されてよい。ユーザは、追跡番号を選択することで、その追跡番号に対応づけられた追跡ウェブサイトをダイアログボックスに呼び出すことができる。
【００８３】
ｅ供給ボタン８２５を押すことにより、検査室の分析装置１１０において使用された材料量を示すダイアログボックスを表示させ得る。たとえば、検査室で消費されたある種類の試薬量が示され得る。いくつかの例では、このダイアログボックスはまた、検査室によって使用されるであろう材料量の予測を示し得る。この予測は検査室における材料使用履歴に基づき得る。このダイアログボックスに示された情報は、ＰＣＳ２１７によって決定され、ボタン８２５の押下に応じてタブレット１１４に対して通信され得る。
【００８４】
ＴＡＣ連絡ボタン８２７を押すことにより、技術問題に関して技術スペシャリストへのＥメールまたは他の形式のメッセージの送信を容易にする、ダイアログボックスを表示させ得る。このメッセージは、ＰＣＳ２１７に対して通信される。そして、ＰＣＳ２１７は、このメッセージを、当該問題に取り組むべく技術スペシャリストへ転送し得る。このメッセージは、技術スペシャリストへＥメールまたはＳＭＳとして送信され得る。いくつかの実施態様では、ＰＣＳ２１７は、様々な手法を用いて質問の本質を判断し、問題に対する示唆される解決策のリストをタブレット１１４に提供し得る。
【００８５】
ＱＣ例外把握（ｉｎｓｉｇｈｔ）ボタン８３０を押すことにより、ある検査室内の１以上の分析装置１１０によって生成された精度管理例外についてのレポートを表示する、ダイアログボックスを表示させ得る。このレポートは、異なる複数の検査室に置かれた類似の分析装置モデルから報告されたデータを示し、分析装置１１０間のデータの比較を可能にし得る。これらのレポートは、ＰＣＳ２１７と通信し合うデータベース内に格納され得る。
【００８６】
ＱＣレポート把握ボタン８３２を押すことにより、ある検査室内の１以上の分析装置１１０に対する精度管理測定を示すレポートを表示するダイアログボックスを表示させ得る。このレポートは、ＰＣＳ２１７と通信し合うデータベース内に格納され得る。このレポートには、一の病院内で行われた内部精度管理の結果だけでなく、他の病院で得られた精度管理測定の結果との比較に基づいて行われる外部精度管理の結果が含まれてもよい。
【００８７】
図９は、本明細書で参照する任意のコンピューティングデバイスを表すまたはその一部を構成し得る、汎用コンピュータシステム９００を示す。コンピュータシステム９００は、本明細書で開示する任意の１以上の方法またはコンピュータベースの機能をコンピュータシステム９００に行わせるように実行され得る、指示９４５のセットを含み得る。コンピュータシステム９００は、単独の装置として動作し、または、たとえばネットワークを使用して他のコンピュータシステムもしくは周辺機器に接続され得る。
【００８８】
ネットワーク内に配置されている場合、コンピュータシステム９００は、サーバ−クライアントオペレータネットワーク環境ではサーバの立場としてもしくはクライアント−オペレータコンピュータの立場としてとして動作し、または、ピアツーピア（すなわち分散型）ネットワーク環境ではピアコンピュータシステムとして動作し得る。コンピュータシステム９００は、たとえば、そのマシンが行うべきアクションを指定する（逐次または他の様式の）指示９４５のセットを実行可能なパーソナルコンピュータまたはモバイル装置等の、様々な装置として実現され、またはそのような様々な装置に組み込まれ得る。更に、上述の各システムは、１または複数のセットの指示を個別にまたは協働して実行して１以上のコンピュータ機能を実現する、サブシステムのあらゆる集合体を含み得る。
【００８９】
コンピュータシステム９００は、本願において記述した任意のデータベース等の情報を通信するためのバスに、１以上のメモリデバイス９１０を含み得る。更に、本明細書で記述したアクションまたは動作のいずれかをコンピュータシステムに実行させるように構成可能なコードが、メモリ９１０に格納され得る。メモリ９１０は、ランダムアクセスメモリ、リードオンリーメモリ、プログラマブルメモリ、ハードディスクドライブ、または任意の他の種類のメモリもしくは記憶装置であり得る。
【００９０】
コンピュータシステム９００は、たとえば、液晶ディスプレイ（ＬＣＤ）、陰極線管（ＣＲＴ）、または情報伝達に適する任意の他のディスプレイ等の、ディスプレイ９３０を含み得る。ディスプレイ９３０は、プロセッサ９０５の機能状態をオペレータが見るためのインタフェースとして、または特に、メモリ９１０もしくはドライブユニット９１５に格納されたソフトウエアとのインタフェースとして、作用し得る。
【００９１】
加えて、コンピュータシステム９００は、オペレータがシステム９００の任意の構成要素と対話できるように構成された、キーボードやマウス等の入力装置９２５を含み得る。
【００９２】
コンピュータシステム９００はまた、高レイテンシ記憶装置１１０（図１）等のディスクまたは光学ドライブユニット９１５を含み得る。ディスクドライブユニット９１５は、ソフトウエア等の１以上のセットの指示９４５を組み込むことのできる、コンピュータ読み取り可能な媒体９４０を含み得る。更に、指示９４５は、本明細書において記述したような動作の１以上を行い得る。指示９４５は、コンピュータシステム９００による実行の間、その全体または少なくともその一部分が、メモリ９１０内および／またはプロセッサ９０５内に保持され得る。メモリ９１０およびプロセッサ９０５はまた、上述したようなコンピュータ読み取り可能な媒体を含み得る。
【００９３】
コンピュータシステム９００は、ネットワーク９５０を介して通信を可能にする通信インタフェース９３５を含み得る。ネットワーク９５０は、有線ネットワーク、無線ネットワーク、またはその組み合わせを含み得る。通信インタフェース９３５ネットワークは、たとえば８０２．１１、８０２．１２、８０２．２０、ＷｉＭａｘ、携帯電話規格、または他の通信規格等の、任意の数の通信規格を介して通信を可能とされ得る。
【００９４】
したがって、本方法およびシステムは、ハードウエア、ソフトウエア、またはハードウエアとソフトウエアの組み合わせにおいて実現され得る。本方法およびシステムは、少なくとも１つのコンピュータシステムにおける集中型方式で、または異なる要素が複数の相互接続されたコンピュータシステムにまたがって分散された分散型方式で、実現され得る。本明細書で記述した方法を実施するように構成された、あらゆる種類のコンピュータシステムまたは他の装置が適している。ハードウエアおよびソフトウエアの典型的な組み合わせは、読み込み実行されると本明細書で記述した方法を実行するようにコンピュータシステムを制御するコンピュータプログラムを有する、汎用コンピュータシステムであろう。
【００９５】
本方法およびシステムはまた、本明細書で記述した動作の実施を可能にする全ての特徴を含み、かつコンピュータシステムに読み込まれるとこれらの動作を実行することが可能な、コンピュータプログラムプロダクトに組み込まれ得る。本明細書の文脈におけるコンピュータプログラムは、直接に、あるいは、ａ）他の言語、コード、もしくは表記法への変換；ｂ）異材質の形式での再生；のいずれか一方または両方を行った後に、情報処理能力を有するシステムに特定の機能を実行させるように意図された一連の指示の、任意の言語、コード、または表記法によって記述された、いかなる表現をも意味する。
【００９６】
本方法およびシステムを特定の実施形態を参照に説明してきたが、本発明の範囲から逸脱することなく様々な変更がなされ得ることおよび等価物によって代用され得ることは、当業者には自明であろう。更に、その範囲から逸脱することなく、特定の状況または材料を本教示に適応させるように、多くの変形例が可能である。したがって、本方法およびシステムは、開示した特定の実施形態に限定されず、本方法およびシステムは、添付の請求の範囲に含まれる全ての実施形態を含むことが意図されている。
【図１】
2018146597.tif 000007
【図２】
2018146597.tif 000008
【図３】
2018146597.tif 000009
【図４Ａ】
2018146597.tif 000010
【図４Ｂ】
2018146597.tif 000011
【図４Ｃ】
2018146597.tif 000012
【図４Ｄ】
2018146597.tif 000013
【図５】
2018146597.tif 000014
【図６Ａ】
2018146597.tif 000015
【図６Ｂ】
2018146597.tif 000016
【図７Ａ】
2018146597.tif 000017
【図７Ｂ】
2018146597.tif 000018
【図７Ｃ】
2018146597.tif 000019
【図７Ｄ】
2018146597.tif 000020
【図８Ａ】
2018146597.tif 000021
【図８Ｂ】
2018146597.tif 000022
【図８Ｃ】
2018146597.tif 000023
【図８Ｄ】
2018146597.tif 000024
【図８Ｅ】
2018146597.tif 000025
【図９】
2018146597.tif 000026